(57)【特許請求の範囲】
【請求項１】
相互に重なる重複領域を設けて複数の画像を投影して一つの画面を構成するために、前記複数の画像の少なくとも１つを処理対象として処理する画像処理装置であって、
前記処理対象の画像における前記重複領域の輝度を下げる補正を行う補正手段と、
前記重複領域を含む領域に表示される重畳用画像を前記処理対象の画像に重畳する重畳手段と、
前記処理対象の画像と、前記補正手段により前記重複領域の輝度が補正された前記処理対象の画像との何れかを選択する第１選択手段と、
前記処理対象の画像と、前記重畳手段により前記重畳用画像が重畳された前記処理対象の画像との何れかを選択する第２選択手段と、
前記重畳手段により前記重畳用画像が重畳された後に前記補正手段により前記重複領域の輝度を下げる補正がなされた前記処理対象の画像である第１画像と、前記補正手段により前記重複領域の輝度を下げる補正がなされた後に前記重畳手段により前記重畳用画像が重畳された前記処理対象の画像である第２画像との何れかを出力する出力手段と、
を有し、
前記重畳手段は、前記第１選択手段により選択された画像に前記重畳用画像を重畳し、
前記補正手段は、前記第２選択手段により選択された画像における前記重複領域の輝度を補正することを特徴とする画像処理装置。
【請求項２】
前記補正手段は、前記重畳手段により前記重畳用画像が重畳された前記処理対象の画像における前記重複領域の輝度を補正する第１補正手段と、前記処理対象の画像における前記重複領域の輝度を補正する第２補正手段と、をさらに有し、
前記重畳手段は、前記処理対象の画像に前記重畳用画像を重畳する第１重畳手段と、前記補正手段により前記重複領域の輝度が補正された前記処理対象の画像に前記重畳用画像を重畳する第２重畳手段と、をさらに有することを特徴とする請求項１に記載の画像処理装置。
【請求項３】
相互に重なる重複領域を設けて複数の画像を投影して一つの画面を構成するために、前記複数の画像の少なくとも１つを処理対象として処理する画像処理装置であって、
前記処理対象の画像における前記重複領域の輝度を下げる補正を行う補正手段と、
前記重複領域を含む領域に表示される重畳用画像を前記処理対象の画像に重畳する重畳手段と、
前記重畳手段により前記重畳用画像が重畳された後に前記補正手段により前記重複領域の輝度を下げる補正がなされた前記処理対象の画像である第１画像と、前記補正手段により前記重複領域の輝度を下げる補正がなされた後に前記重畳手段により前記重畳用画像が重畳された前記処理対象の画像である第２画像との何れかを出力する出力手段と、を有し、
前記補正手段は、前記重畳手段により前記重畳用画像が重畳された前記処理対象の画像における前記重複領域の輝度を補正する第１補正手段と、前記処理対象の画像における前記重複領域の輝度を補正する第２補正手段と、をさらに有し、
前記重畳手段は、前記処理対象の画像に前記重畳用画像を重畳する第１重畳手段と、前記補正手段により前記重複領域の輝度が補正された前記処理対象の画像に前記重畳用画像を重畳する第２重畳手段と、をさらに有することを特徴とする画像処理装置。
【請求項４】
前記出力手段は、前記重複領域の設定が行われる際に前記第２画像を出力することを特徴とする請求項１〜３の何れか１項に記載の画像処理装置。
【請求項５】
前記出力手段は、前記重複領域の設定が終了した後に前記第１画像を出力することを特徴とする請求項１〜４の何れか１項に記載の画像処理装置。
【請求項６】
前記出力手段は、前記画像処理装置における表示モードを示す信号として外部から受信される信号に基づいて、前記第１画像および前記第２画像の何れかを選択して出力することを特徴とする請求項１〜５の何れか１項に記載の画像処理装置。
【請求項７】
前記重畳用画像は、前記重複領域に関する設定の表示と変更とのうち少なくとも何れか一方を行うための情報を含むことを特徴とする請求項１〜６の何れか１項に記載の画像処理装置。
【請求項８】
相互に重なる重複領域を設けて複数の画像を投影して一つの画面を構成するために、前記複数の画像の少なくとも１つを処理対象として処理する画像処理方法であって、
前記処理対象の画像における前記重複領域の輝度を下げる補正を行う補正工程と、
前記重複領域を含む領域に表示される重畳用画像を前記処理対象の画像に重畳する重畳工程と、
前記処理対象の画像と、前記補正工程により前記重複領域の輝度が補正された前記処理対象の画像との何れかを選択する第１選択工程と、
前記処理対象の画像と、前記重畳工程により前記重畳用画像が重畳された前記処理対象の画像との何れかを選択する第２選択工程と、
前記重畳工程により前記重畳用画像が重畳された後に前記補正工程により前記重複領域の輝度を下げる補正がなされた前記処理対象の画像である第１画像と、前記補正工程により前記重複領域の輝度を下げる補正がなされた後に前記重畳工程により前記重畳用画像が重畳された前記処理対象の画像である第２画像との何れかを出力する出力工程と、を有し、
前記重畳工程は、前記第１選択工程により選択された画像に前記重畳用画像を重畳し、
前記補正工程は、前記第２選択工程により選択された画像における前記重複領域の輝度を補正することを特徴とする画像処理方法。
【請求項９】
相互に重なる重複領域を設けて複数の画像を投影して一つの画面を構成するために、前記複数の画像の少なくとも１つを処理対象として処理する画像処理方法であって、
前記処理対象の画像における前記重複領域の輝度を下げる補正を行う補正工程と、
前記重複領域を含む領域に表示される重畳用画像を前記処理対象の画像に重畳する重畳工程と、
前記重畳工程により前記重畳用画像が重畳された後に前記補正工程により前記重複領域の輝度を下げる補正がなされた前記処理対象の画像である第１画像と、前記補正工程により前記重複領域の輝度を下げる補正がなされた後に前記重畳工程により前記重畳用画像が重畳された前記処理対象の画像である第２画像との何れかを出力する出力工程と、を有し、
前記補正工程は、前記重畳工程により前記重畳用画像が重畳された前記処理対象の画像における前記重複領域の輝度を補正する第１補正工程と、前記処理対象の画像における前記重複領域の輝度を補正する第２補正工程と、をさらに有し、
前記重畳工程は、前記処理対象の画像に前記重畳用画像を重畳する第１重畳工程と、前記補正工程により前記重複領域の輝度が補正された前記処理対象の画像に前記重畳用画像を重畳する第２重畳工程と、をさらに有することを特徴とする画像処理方法。
【請求項１０】
請求項１〜７の何れか１項に記載の画像処理装置の各手段としてコンピュータを機能させることを特徴とするプログラム。
【発明の詳細な説明】
【技術分野】
【０００１】
本発明は、画像処理装置、画像処理方法、およびプログラムに関し、特に、相互に重なる領域を設けて複数の画像を表示させ、一つの画面（マルチスクリーン画面）を構成するために用いて好適なものである。
【背景技術】
【０００２】
従来から、複数の投射型画像表示装置（プロジェクタ）を用いてマルチスクリーン画面（一つの画面）を構成することが行われている。この場合、相互に隣接する投射型画像表示装置から投影される画像に、相互に重複する領域を設ける。
この種の技術として特許文献１には、以下の技術が開示されている。すなわち、投影領域の一部が相互に重なるように２つの分割画像を表示する際に、各分割画像の、投影領域の重なる部分に調整用十字ガイドを表示し、各分割画像の調整用十字ガイドを合わせることで、２つの分割画像のエッジを合わせることが記載されている。また、２つの分割画像を合成したときに１００％の輝度になるように、投影領域の相互に重なる部分の輝度を調整することが記載されている。
【先行技術文献】
【特許文献】
【０００３】
【特許文献１】特開２００９−２００６１３号公報
【発明の概要】
【発明が解決しようとする課題】
【０００４】
しかしながら、特許文献１に記載の技術では、調整用十字ガイドが、それぞれのプロジェクタで生成されるため、２つの分割画像の、投影領域の重なる部分に表示される調整用十字ガイドの視認性が低下する虞がある。
そこで、本発明は、相互に重なる領域を設けて複数の画像を表示させて一つの画面を構成するに際し、当該複数の画像の繋ぎ目を目立たなくすることと、当該領域の画像に重畳させる画像の視認性を向上させることを実現することを目的とする。
【課題を解決するための手段】
【０００５】
本発明の画像処理装置の第１の例は、相互に重なる重複領域を設けて複数の画像を投影して一つの画面を構成するために、前記複数の画像の少なくとも１つを処理対象として処理する画像処理装置であって、前記処理対象の画像における前記重複領域の輝度を下げる補正を行う補正手段と、前記重複領域を含む領域に表示される重畳用画像を前記処理対象の画像に重畳する重畳手段と、前記処理対象の画像と、前記補正手段により前記重複領域の輝度が補正された前記処理対象の画像との何れかを選択する第１選択手段と、前記処理対象の画像と、前記重畳手段により前記重畳用画像が重畳された前記処理対象の画像との何れかを選択する第２選択手段と、前記重畳手段により前記重畳用画像が重畳された後に前記補正手段により前記重複領域の輝度を下げる補正がなされた前記処理対象の画像である第１画像と、前記補正手段により前記重複領域の輝度を下げる補正がなされた後に前記重畳手段により前記重畳用画像が重畳された前記処理対象の画像である第２画像との何れかを出力する出力手段と、を有し、前記重畳手段は、前記第１選択手段により選択された画像に前記重畳用画像を重畳し、前記補正手段は、前記第２選択手段により選択された画像における前記重複領域の輝度を補正することを特徴とする。
本発明の画像処理装置の第２の例は、相互に重なる重複領域を設けて複数の画像を投影して一つの画面を構成するために、前記複数の画像の少なくとも１つを処理対象として処理する画像処理装置であって、前記処理対象の画像における前記重複領域の輝度を下げる補正を行う補正手段と、前記重複領域を含む領域に表示される重畳用画像を前記処理対象の画像に重畳する重畳手段と、前記重畳手段により前記重畳用画像が重畳された後に前記補正手段により前記重複領域の輝度を下げる補正がなされた前記処理対象の画像である第１画像と、前記補正手段により前記重複領域の輝度を下げる補正がなされた後に前記重畳手段により前記重畳用画像が重畳された前記処理対象の画像である第２画像との何れかを出力する出力手段と、を有し、前記補正手段は、前記重畳手段により前記重畳用画像が重畳された前記処理対象の画像における前記重複領域の輝度を補正する第１補正手段と、前記処理対象の画像における前記重複領域の輝度を補正する第２補正手段と、をさらに有し、前記重畳手段は、前記処理対象の画像に前記重畳用画像を重畳する第１重畳手段と、前記補正手段により前記重複領域の輝度が補正された前記処理対象の画像に前記重畳用画像を重畳する第２重畳手段と、をさらに有することを特徴とする。
【発明の効果】
【０００６】
本発明によれば、相互に重なる領域を設けて複数の画像を表示させて一つの画面を構成するに際し、当該複数の画像の繋ぎ目を目立たなくすることと、当該領域の画像に重畳させる画像の視認性を向上させることを実現することができる。
【図面の簡単な説明】
【０００７】
【図１】マルチプロジェクションシステムの構成の第１の例を示す図である。
【図２】画像表示装置のハードウェアの構成の一例を示す図である。
【図３】画像表示装置の動作の一例を説明するフローチャートである。
【図４】マルチスクリーンメニューの表示例を示す図である。
【図５】マルチプロジェクションシステムの構成の第２の例を示す図である。
【発明を実施するための形態】
【０００８】
（第１の実施形態）
図１は、マルチプロジェクションシステムの構成の一例を示す図である。図１では、マルチプロジェクションシステムが、２つの画像表示装置１０００、１１００を用いてマルチスクリーン画面を出力する場合を例に挙げて示す。
図１において、マルチプロジェクションシステムは、画像表示装置１０００、１１００と、画像出力装置１２００と、投射スクリーン１３００とを有する。
【０００９】
画像出力装置１２００は、マルチスクリーン画面として投射スクリーン１３００に表示される画像データを２つの領域に分割し、分割した２つの領域の画像データを、それぞれ画像表示装置１０００、１１００に出力する。尚、分割した２つの領域の画像データには、それぞれ、特定の幅を持つ相互に重複した領域の画像データが含まれる。すなわち、これらの画像データの何れにも、分割した２つの領域の境界線を跨ぐ、特定の幅の領域の画像データが含まれる。以下の説明では、特定の幅を持つ相互に重複した領域を必要に応じて重複画像領域と称する。
【００１０】
画像表示装置１０００、１１００は、投射型の画像表示装置である。画像表示装置１０００、１１００は、外部の画像出力装置１２００から出力された画像信号ＩＳを処理対象の画像信号として受信する。画像表示装置１０００、１１００は、画像信号ＩＳに、重畳用画像の一例であるＯＳＤ（On Screen Display）画像を重畳する。また、画像表示装置１０００、１１００は、重複画像領域に対して重複画像処理を施す。画像表示装置１０００、１１００は、ＯＳＤ画像の重畳と重複画像処理とが行われた画像を投射スクリーン１３００に投影する。本実施形態では、ＯＳＤ画像として、各種の設定の表示および変更の少なくとも何れか一方を行うためのグラフィックスを画像信号に重畳させる場合を例に挙げて示す。
【００１１】
本実施形態では、２台の画像表示装置１０００、１１００が左右に設置されていることを想定する。しかしながら、画像表示装置の数は２台に限定されるものではない。３台以上の画像表示装置を用いてマルチスクリーンを構成してもよい。また、画像表示装置の配置は左右の設置に限定されるものでもない。例えば、上下に画像表示装置を配置してもよい。また、画像出力装置が複数であっても構わない。
【００１２】
図２は、画像表示装置１０００、１１００のハードウェアの構成の一例を示す図である。尚、画像表示装置１１００のハードウェアは、画像表示装置１０００と同じ構成で実現することができる。したがって、ここでは、画像表示装置１０００のハードウェアを説明し、画像表示装置１１００の詳細な説明を省略する。
【００１３】
ＣＰＵ２０１は、画像表示装置１０００の全体を制御する。ＣＰＵ２０１は、ＲＯＭ２０２に記録されたプログラムに従って起動し、ＲＯＭ２０２に記録されたプログラムをＲＡＭ２０３に展開して実行する。操作部２０４は、画像表示装置１０００に対する指示をユーザが行うためのものであり、ボタン等を有する。ＣＰＵ２０１は、操作部２０４の操作入力に従い画像表示装置１０００を動作させる。
【００１４】
通信部２０５は、画像出力装置１２００から受信した画像信号をＲＡＭ２０３に格納する。デコーダ２０６は、ＲＡＭ２０３に格納された画像信号をデコードし、デコードした画像信号をＶＲＡＭ２０７に展開する。画像処理部２０８は、ＶＲＡＭ２０７に格納される画像信号に所定の画像処理を施す。投影制御部２０９は、ＶＲＡＭ２０７に格納された画像処理後の画像信号を読み出して、投影部２１０に転送する。投影部２１０は、投影制御部２０９から供給される画像信号に基づく画像を投射スクリーン１３００に投影する。
【００１５】
次に、画像表示装置１０００、１１００の機能構成の一例について詳細に説明する。尚、画像表示装置１１００の機能構成は、画像表示装置１０００と同じ機能構成で実現できる。したがって、ここでは、画像表示装置１０００の機能構成を説明し、画像表示装置１１００の詳細な説明を省略する。
画像表示装置１０００は、画像処理順序変更部１０１０、グラフィックス重畳部１０２０、重複領域処理部１０３０、グラフィックス生成部１０４０、および画像表示部１０５０を有する。
【００１６】
グラフィックス生成部１０４０は、マルチスクリーンメニュー（調整用メニュー）等のグラフィックスを生成し、グラフィックス信号ＧＳとして出力する。画像表示部１０５０は、画像処理順序変更部１０１０より出力された出力信号ＯＳを受信し、投射スクリーン１３００に投影する。
【００１７】
マルチスクリーンメニュー（調整用メニュー）には、重複画像領域の設定後の内容を示す情報や、重複画像領域を設定するためにユーザが参照する内容を示す情報が含まれる。具体的にマルチスクリーンメニュー（調整用メニュー）には、後述する図４（ｂ）に示すように、重複画像領域の幅を示す情報や、図４（ａ）に示すように、マルチスクリーン領域内における重複画像領域の位置（座標）を示す情報等がある。マルチスクリーンメニュー（調整用メニュー）は、例えば、図形、記号、文字および数字の少なくとも何れか１つを用いて情報を表示する。
【００１８】
グラフィックス重畳部１０２０は、グラフィックス生成部１０４０により生成されたグラフィックス信号ＧＳと、画像処理順序変更部１０１０により選択された画像信号である第１選択信号ＳＳ１とを入力する。グラフィックス重畳部１０２０は、第１選択信号ＳＳ１に、グラフィックス信号ＧＳを重畳してグラフィックス重畳信号ＧＯＳとして出力する。
【００１９】
重複領域処理部１０３０は、画像処理順序変更部１０１０により選択された画像信号である第２選択信号ＳＳ２を入力する。重複領域処理部１０３０は、第２選択信号ＳＳ２の重複画像領域に対する輝度補正を行い重複領域処理信号ＯＳＳとして出力する。
重複領域処理部１０３０は、輝度補正の一例として、以下の（１）式に示す計算（電気的輝度補正）を行うことができる。すなわち、重複画像領域において画像の端部に向かって直線的に輝度を下げるようにする場合、所定の係数であるディスプレイγを考慮して、輝度補正後の画像信号Ｖｏ（輝度値）を導出する。
Ｖｏ＝（（ｘ／Ｗ）＾γ）＊Ｖｉ  ・・・（１）
ここで、Ｖｉは、入力画像信号（輝度値）、Ｗは、重複画像領域の幅、ｘは重複画像領域の画像端からの距離である。尚、輝度補正の方法は、（１）式の方法に限定されない。
【００２０】
第１選択部１０１１、第２選択部１０１２、および出力選択部１０１３には、表示モード信号ＤＳが入力される。表示モード信号ＤＳは、画像表示装置１０００の表示モード（状態）を示す信号である。本実施形態では、表示モード信号ＤＳは、画像表示装置１０００の表示モードが、少なくとも、通常のマルチスクリーン投影状態である通常表示モードと、マルチスクリーン調整状態である調整表示モードの２つモードの何れであるかを示す信号である。
【００２１】
次に、画像処理順序変更部１０１０の一例について説明する。
画像処理順序変更部１０１０は、第１選択部１０１１、第２選択部１０１２、および出力選択部１０１３を有する。
第１選択部１０１１は、画像出力装置１２００から出力された画像信号ＩＳと、重複領域処理部１０３０から出力された重複領域処理信号ＯＳＳと、表示モード信号ＤＳとを入力する。第１選択部１０１１は、表示モード信号ＤＳに応じて画像信号ＩＳおよび重複領域処理信号ＯＳＳの何れかを選択して第１選択信号ＳＳ１として出力する。具体的に本実施形態では、第１選択部１０１１は、表示モード信号ＤＳに示されている表示モードが通常表示モードである場合には画像信号ＩＳを選択し、調整表示モードである場合には重複領域処理信号ＯＳＳを選択する。
【００２２】
第２選択部１０１２は、画像出力装置１２００から出力された画像信号ＩＳと、グラフィックス重畳部１０２０から出力されたグラフィックス重畳信号ＧＯＳと、表示モード信号ＤＳとを入力する。第２選択部１０１２は、表示モード信号ＤＳに応じて画像信号ＩＳおよびグラフィックス重畳信号ＧＯＳの何れかを選択して第２選択信号ＳＳ２として出力する。具体的に本実施形態では、第２選択部１０１２は、表示モード信号ＤＳに示されている表示モードが通常表示モードである場合にはグラフィックス重畳信号ＧＯＳを選択し、調整表示モードである場合には画像信号ＩＳを選択する。
【００２３】
出力選択部１０１３は、グラフィックス重畳信号ＧＯＳ、重畳領域処理信号ＯＳＳ、および表示モード信号ＤＳを入力する。出力選択部１０１３は、表示モード信号ＤＳに応じて、グラフィックス重畳信号ＧＯＳおよび重畳領域処理信号ＯＳＳの何れかを選択して出力信号ＯＳとして画像表示部１０５０に出力する。具体的に本実施形態では、出力選択部１０１３は、表示モード信号ＤＳに示されている表示モードが通常表示モードである場合には重畳領域処理信号ＯＳＳを選択し、調整表示モードである場合にはグラフィックス重畳信号ＧＯＳを選択する。
【００２４】
次に、図３のフローチャートを参照しながら。マルチスクリーンを実現する際の画像表示装置１０００、１１００の動作の一例を説明する。尚、画像表示装置１１００の動作は、画像表示装置１０００と同じ動作で実現できる。したがって、ここでは、画像表示装置１０００の動作を説明し、画像表示装置１１００の動作の詳細な説明を省略する。
まず、Ｓ３０１において、画像表示装置１０００は、表示モード信号ＤＳに示されている表示モードが通常表示モードおよび調整表示モードの何れであるかを判定する。この判定の結果、表示モード信号ＤＳに示されている表示モードが通常表示モードである場合には、Ｓ３０２に進む。
【００２５】
Ｓ３０２に進むと、第１選択部１０１１は、画像信号ＩＳおよび重複領域処理信号ＯＳＳのうち、画像信号ＩＳを選択し、画像信号ＩＳを第１選択信号ＳＳ１として、グラフィックス重畳部１０２０に出力する。
次に、Ｓ３０３において、グラフィックス重畳部１０２０は、第１選択信号ＳＳ１である画像信号ＩＳに、グラフィックス生成部１０４０によりＯＳＤ画像として生成されたグラフィックス信号ＧＳを重畳してグラフィックス重畳信号ＧＯＳを生成する。そして、グラフィックス重畳部１０２０は、グラフィックス重畳信号ＧＯＳを第２選択部１０１２に出力する。
【００２６】
次に、Ｓ３０４において、第２選択部１０１２は、グラフィックス重畳信号ＧＯＳを選択し、グラフィックス重畳信号ＧＯＳを第２選択信号ＳＳ２として、重複領域処理部１０３０に出力する。
次に、Ｓ３０５において、重複領域処理部１０３０は、第２選択信号ＳＳ２であるグラフィックス重畳信号ＧＯＳに輝度補正を施して重複領域処理信号ＯＳＳを生成する。そして、重複領域処理部１０３０は、重複領域処理信号ＯＳＳを出力選択部１０１３に出力する。
【００２７】
次に、Ｓ３０６において、出力選択部１０１３は、重複領域処理信号ＯＳＳを出力信号ＯＳとして選択し、画像表示部１０５０に出力する。
第１選択部１０１１、第２選択部１０１２、および出力選択部１０１３の動作により、画像出力装置１２００から入力された画像信号ＩＳは、グラフィックス重畳処理、重複領域処理の順序で処理される。このような処理により得られた出力信号ＯＳは、第１画像の一例として画像表示部１０５０を介して投射スクリーン１３００に投影される。そして、図３のフローチャートによる処理を終了する。
【００２８】
図４は、マルチスクリーンを構成する各投影領域に跨って表示されるマルチスクリーンメニューの表示例を示す図である。図４（ａ）は、通常表示モード時のマルチスクリーンメニューの表示例を示す図である。すなわち、重複画像領域の位置合わせが終了した後に表示されるマルチスクリーンメニューの表示例である。
図４（ａ）において、画像表示装置１０００により投影される左側投影領域４００１ａと、画像表示装置１１００により投影される右側投影領域４００２ａの、重複画像領域４００３ａを重ねて投影することによりマルチスクリーンが構成される。このマルチスクリーンに、マルチスクリーンメニュー（調整用メニュー）４４００ａが重畳される。
前述したように、マルチスクリーンメニュー（調整用メニュー）４４００ａは、グラフィックス重畳部１０２０、１１２０、重複領域処理部１０３０、１１３０の順序で処理され、重複画像領域４００３ａの画像と同様な輝度補正が行われる。このため、画像の継ぎ目が目立たなくなる。
【００２９】
図３の説明に戻り、Ｓ３０１において、表示モード信号ＤＳに示されている表示モードが調整表示モードである場合には、Ｓ３０７に進む。
Ｓ３０７に進むと、第２選択部１０１２は、画像信号ＩＳおよびグラフィックス重畳信号ＧＯＳのうち、画像信号ＩＳを選択し、画像信号ＩＳを第２選択信号ＳＳ２として、重複領域処理部１０３０に出力する。
【００３０】
次に、Ｓ３０８において、重複領域処理部１０３０は、第２選択信号ＳＳ２である画像信号ＩＳに輝度補正を施して重複領域処理信号ＯＳＳを生成する。重複領域処理部１０３０は、重複領域処理信号ＯＳＳを第１選択部１０１１に出力する。
次に、Ｓ３０９において、第１選択部１０１１は、重複領域処理信号ＯＳＳを選択し、重複領域処理信号ＯＳＳを第１選択信号ＳＳ１として、グラフィックス重畳部１０２０に出力する。
【００３１】
次に、Ｓ３１０において、グラフィックス重畳部１０２０は、第１選択信号ＳＳ１である重畳領域処理信号ＧＯＳに、グラフィックス生成部１０４０で生成されたグラフィックス信号ＧＳを重畳してグラフィックス重畳信号ＧＯＳを生成する。そして、グラフィックス重畳部１０２０は、グラフィックス重畳信号ＧＯＳを出力選択部１０１３に出力する。
Ｓ３１１において、出力選択部１０１３は、グラフィックス重畳信号ＧＯＳを出力信号ＯＳとして選択し、画像表示部１０５０に出力する。
第１選択部１０１１、第２選択部１０１２、および出力選択部１０１３の動作により、画像出力装置１２００から入力された画像信号ＩＳは、重複領域処理、グラフィックス重畳処理の順序で処理される。このような処理により得られた出力信号ＯＳは、第２画像の一例として画像表示部１０５０、１１５０を介して投射スクリーン１３００に投影される。そして、図３のフローチャートによる処理を終了する。
【００３２】
図４（ｂ）は、調整モード時のマルチスクリーンメニューの表示例を示す図である。すなわち、重複画像領域の位置合わせの最中に表示されるマルチスクリーンメニューの表示例である。
尚、図４（ｂ）では、左側投影領域４００１ｂの重複画像領域４００３ｂの輝度補正の調整を行うことを想定している。そのため、右側投影領域４００２ｂへの投射は行っていない。
【００３３】
画像表示装置１０００より左側投影領域４００１ｂにマルチスクリーンメニュー（調整用メニュー）４４００ｂが投影される。尚、図４（ｂ）では、本実施形態の効果を示すために、通常表示モードの順序で処理された場合のマルチスクリーンメニュー（調整用メニュー）４５００ｂをマルチスクリーンメニュー（調整用メニュー）４４００ｂと併せて示す。すなわち、実際には、マルチスクリーンメニュー（調整用メニュー）４５００ｂは表示されない。その他については、図４（ａ）と同等なため、詳細な説明を省略する。
【００３４】
前述したように、マルチスクリーンメニュー（調整用メニュー）４４００ｂは、左側投影領域４００１ｂを表示している画像表示装置１１００のみから投影される。そのため、通常表示モードの順序で処理が行われると、重複領域処理部１０３０、１１３０による輝度補正により、重複画像領域４００３ｂにかかる領域の輝度が低下する。その結果、マルチスクリーンメニュー（調整用メニュー）４５００ｂの視認性が低下する。
【００３５】
これに対し、前述した調整モード時のように、重複領域処理、グラフィックス重畳処理の順序で処理を行えば、先に輝度補正を行った画像にマルチスクリーンメニュー（調整用メニュー）を重畳することになる。したがって、調整対象である重複画像領域４００３ｂの輝度補正の結果を確認しつつ、マルチスクリーンメニュー（調整用メニュー）４４００ｂの視認性を向上することが可能となる。
【００３６】
以上のように本実施形態では、重複画像領域の調整を行う際には、画像信号ＩＳに対して輝度補正を施した後に、マルチスクリーンメニュー（調整用メニュー）の画像信号であるグラフィックス信号ＧＳを重畳する。重複画像領域の調整が終了した後は、マルチスクリーンメニュー（調整用メニュー）の画像信号であるグラフィックス信号ＧＳを画像信号ＩＳに重畳した後に、輝度補正を施す。したがって、例えば、マルチスクリーンメニュー（調整用メニュー）の領域を抽出したり、当該抽出の結果に応じた重複画像領域の勾配を模擬したＯＳＤ画像を作成したりすることがなくなる。よって、マルチスクリーン時に、投影領域を跨るグラフィックス（重複画像領域）の継ぎ目を目立たなくすることと、調整時の調整用メニューの視認性を向上させることとの双方を簡素な構成で実現することが可能となる。
【００３７】
尚、本実施形態では、画像表示部１０５０、１１５０が画像表示装置１０００、１１９９の内部にある場合を例に挙げて説明した。しかしながら、画像表示部１０５０、１１５０が画像表示装置１０００、１１９９の外部にあってもよい。
また、本実施形態では、説明を簡素化するために、グラフィックス重畳処理、重複領域処理以外の画像処理に関しては言及していないが、これらの画像処理の前後に他の画像処理を含んでも構わない。
【００３８】
（第２の実施形態）
次に、第２の実施形態を説明する。第１の実施形態では、グラフィックス重畳部１０２０、１１２０が、第１選択部１０１１、１１１１で選択された信号を処理し、重複領域処理部１０３０、１１３０が、第２選択部１０１２、１１１２で選択された信号を処理する場合を例に挙げて説明した。すなわち、画像表示装置１０００、１１００が、グラフィックス重畳部１０２０、１１２０および重複領域処理部１０３０、１１３０をそれぞれ１つずつ有する場合を例に挙げて説明した。これに対し、本実施形態では、グラフィックス重畳部および重複領域処理部をそれぞれ２つ設け、選択部による選択によらずに、それぞれの処理を行う場合を例に挙げて説明する。このように本実施形態と第１の実施形態とは、グラフィックス重畳処理および重複領域処理を行う際の機能構成の一部が主として異なる。したがって、本実施形態の説明において、第１の実施形態と同一の部分については、図１〜図４に付した符号と同一の符号を付す等して詳細な説明を省略する。
【００３９】
図５は、マルチプロジェクションシステムの構成の一例を示す図である。図５では、図１と同様に、マルチプロジェクションシステムが、２つの画像表示装置５０００、５１００を用いてマルチスクリーン画面を出力する場合を例に挙げて示す。
【００４０】
画像表示装置５０００、５１００は、外部の画像出力装置１２００から出力された画像信号ＩＳを受信する。画像表示装置５０００、５１００は、画像信号ＩＳにＯＳＤ画像を重畳することと、重複画像領域に対して重複画像処理を施すこととを行う。画像表示装置５０００、５１００は、ＯＳＤ画像の重畳と重複画像処理とが行われた画像を投射スクリーン１３００に投影する。
【００４１】
尚、画像表示装置５０００、５１００のハードウェアは、例えば、第１の実施形態で説明した図２に示す構成で実現することができる。したがって、ここでは、その詳細な説明を省略する。また、画像表示装置５１００の機能構成は、画像表示装置５０００と同じ機能構成で実現できる。したがって、ここでは、画像表示装置５０００の機能構成を説明し、画像表示装置５１００の詳細な説明を省略する。
【００４２】
画像表示装置５０００は、グラフィックス重畳部５０１０、５０２１、重複領域処理部５０１１、５０２０、出力選択部５０３０、およびグラフィックス生成部５０４０を有する。第１の実施形態と同様に本実施形態でも、表示モード信号ＤＳは、画像表示装置５０００の表示モードが、少なくとも、通常表示モードと調整表示モードとの２つモードの何れであるのかを示す信号である場合を例に挙げて説明する。
【００４３】
グラフィックス生成部５０４０は、マルチスクリーンメニュー（調整用メニュー）等のグラフィックスを生成し、グラフィックス信号ＧＳとして出力する。
グラフィックス重畳部５０１０は、画像出力装置１２００から出力された画像信号ＩＳと、グラフィックス生成部５０４０で生成されたグラフィックス信号ＧＳとを入力する。グラフィックス重畳部５０１０は、第１重畳処理を行う。すなわち、グラフィックス重畳部５０１０は、画像信号ＩＳにグラフィックス信号ＧＳを重畳してグラフィックス重畳信号ＧＯＳとして出力する。
【００４４】
重複領域処理部５０１１は、グラフィックス重畳信号ＧＯＳを入力する。重複領域処理部５０１１は、第１補正処理を行う。すなわち、重複領域処理部５０１１は、グラフィックス重畳信号ＧＯＳの重複画像領域に対する輝度補正を行い、第１画像パス出力信号ＩＰＳ１として出力する。
重複領域処理部５０２０は、画像信号ＩＳを入力する。重複領域処理部５０２０は、第２補正処理を行う。すなわち、重複領域処理部５０２０は、画像信号ＩＳの重複画像領域に対する輝度補正を行い、重複領域処理信号ＯＳＳとして出力する。
重複領域処理部５０１１、５０２０の処理は、例えば、第１の実施形態で説明した（１）式の計算を行うことにより実現できる。
【００４５】
グラフィックス重畳部５０２１は、グラフィックス生成部５０４０により生成されたグラフィックス信号ＧＳと、重複領域処理部５０２０により生成された重複領域処理信号ＯＳＳとを入力する。グラフィックス重畳部５０２１は、第２重畳処理を行う。すなわち、グラフィックス重畳部５０２１は、重複領域処理信号ＯＳＳにグラフィックス信号ＧＳを重畳して第２画像パス出力信号ＩＰＳ２として出力する。
【００４６】
出力選択部５０３０は、重複領域処理部５０１１により生成された第１画像パス出力信号ＩＰＳ１と、グラフィックス重畳部５０２１により生成された第２画像パス出力信号ＩＰＳ２と、表示モード信号ＤＳとを入力する。出力選択部５０３０は、表示モード信号ＤＳに応じて、第１画像パス出力信号ＩＰＳ１および第２画像パス出力信号ＩＰＳ２の何れかを選択して出力信号ＯＳとして画像表示部１０５０に出力する。出力信号ＯＳは、画像表示部１０５０を介して投射スクリーン１３００に投影される。
【００４７】
本実施形態では、表示モード信号ＤＳに示されている表示モードが通常表示モードである場合、出力選択部５０３０は、第１画像パス出力信号ＩＰＳ１（グラフィックス重畳を行った後に、重複領域処理を行った画像信号）を第１画像の一例として選択する。一方、表示モード信号ＤＳに示されている表示モードが調整表示モードである場合、出力選択部５０３０は、第２画像パス出力信号ＩＰＳ２（重複領域処理を行った後に、グラフィックス重畳を行った信号）を第２画像の一例として選択する。
この他については、第１の実施形態と同じであるので、その詳細な説明を省略する。
【００４８】
以上のようにしても第１の実施形態で説明したように、マルチスクリーン時に、投影領域を跨るグラフィックスの継ぎ目を目立たなくすることと、調整時の調整用メニューの視認性を向上させることとの双方を簡素な構成で実現することが可能となる。
尚、本実施形態においても、第１の実施形態で説明した変形例を採用することができる。
【００４９】
尚、前述した実施形態は、何れも本発明を実施するにあたっての具体化の例を示したものに過ぎず、これらによって本発明の技術的範囲が限定的に解釈されてはならないものである。すなわち、本発明はその技術思想、又はその主要な特徴から逸脱することなく、様々な形で実施することができる。
【００５０】
（その他の実施例）
本発明は、以下の処理を実行することによっても実現される。即ち、まず、以上の実施形態の機能を実現するソフトウェア（コンピュータプログラム）を、ネットワーク又は各種記憶媒体を介してシステム或いは装置に供給する。そして、そのシステム或いは装置のコンピュータ（又はＣＰＵやＭＰＵ等）が当該コンピュータプログラムを読み出して実行する。
【符号の説明】
【００５１】
１０００、１１００：画像表示装置、１２００：画像出力装置、１３００：投射スクリーン
【図１】
0006659117.tif 000002
【図２】
0006659117.tif 000003
【図３】
0006659117.tif 000004
【図４】
0006659117.tif 000005
【図５】
0006659117.tif 000006